(57)【要約】【課題】屋内外にかかわらず、適切にペア動作させる電子機器を提供すること。【解決手段】電子機器は、表示を行う表示部と、撮像部が撮像した画像データを記憶媒体に記憶させる処理部を有した外部機器と通信可能な通信部と、前記通信部が前記外部機器との通信を成立している間に前記通信部と前記外部機器との通信が成立する前に前記外部機器の前記撮像部が撮像した画像データを受信して前記画像データによる再生画像を前記表示部に表示させてコピー処理を行い、前記通信部による前記外部機器との通信が終了した場合は前記コピー処理を行っていない画像データによる再生画像の前記表示部への表示を行わない制御部と、を備える。【選択図】図１
2020036366.tif 000002
【特許請求の範囲】
【請求項１】
撮像を行う撮像部と、
操作指示の入力を受け付ける操作部と、
前記撮像部に撮像指示を行う撮像指示部を有した外部機器と通信を行う通信部と、
操作部が操作指示の入力を受け付けると、前記通信部を介して、前記外部機器へ操作を行っていることを示す信号を送信し、前記操作が終了すると、前記撮像指示部に撮像指示があった場合に前記撮像部による撮像を行う制御部と、を備えた電子機器。
【請求項２】
請求項１に記載の電子機器において、
前記通信部は、前記外部機器と通信を行う第１通信部と、前記第1通信部とは異なる、前記外部機器と無線で通信を行う第２通信部を有し、
前記制御部は、前記第１通信部により前記外部機器との通信をした後、前記操作部が操作の入力を受け付けると、前記第２通信部を介して前記外部機器へ操作を行っていることを示す信号を送信する電子機器。
【請求項３】
請求項２に記載の電子機器において、
前記制御部は、前記第２通信部を介して、前記撮像指示部の撮像指示を受け付ける電子機器。
【請求項４】
請求項２または３に記載の電子機器において、
前記制御部は、前記第２通信部を介して前記撮像部の撮像により生成された画像データを前記外部機器に送信する電子機器。
【請求項５】
請求項２または３に記載の電子機器において、
前記第１通信部は、前記外部機器との距離が所定の距離以下となると通信を行う電子機器。
【請求項６】
撮像を行う撮像部と、操作指示の入力を受け付ける操作部と、を備えた電子機器の撮像方法であって、
前記撮像部に撮像指示を行う撮像指示部を有した外部機器と通信を行うステップと、
前記操作部が操作指示の入力を受け付けると、通信部を介して、前記外部機器へ操作を行っていることを示す信号を送信し、前記操作が終了すると、前記撮像指示部に撮像指示があった場合に前記撮像部による撮像を行うステップと、
を有した電子機器の撮像方法。
【発明の詳細な説明】
【技術分野】
【０００１】
本発明は、電子機器及び撮像方法に関する。
【背景技術】
【０００２】
ペアで動作するカメラが提案されており（特許文献１参照）、カメラのストロボ光の発光を利用してペアリングを行うことが提案されている。
【先行技術文献】
【特許文献】
【０００３】
【特許文献１】特開２００９−３３４９４号公報
【発明の概要】
【発明が解決しようとする課題】
【０００４】
従来技術では、ペア動作させるためにストロボ光を発光させなければならず、発光禁止の室内や日中の屋外での使用に適さないという問題があった。
【課題を解決するための手段】
【０００５】
（１）本発明の第１の態様による電子機器は、撮像を行う撮像部と、操作指示の入力を受け付ける操作部と、前記撮像部に撮像指示を行う撮像指示部を有した外部機器と通信を行う通信部と、操作部が操作指示の入力を受け付けると、前記通信部を介して、前記外部機器へ操作を行っていることを示す信号を送信し、前記操作が終了すると、前記撮像指示部に撮像指示があった場合に前記撮像部による撮像を行う制御部と、を備える。
【発明の効果】
【０００６】
本発明による電子機器によれば、屋内外にかかわらず、適切にペア動作させることができる。
【図面の簡単な説明】
【０００７】
【図１】本発明の一実施の形態による電子カメラのブロック図である。
【図２】電子カメラの背面図である。
【図３】操作メニュー画面を例示する図である。
【図４】ペアリング成立条件設定画面を例示する図である。
【図５】ペアリング人物設定画面を例示する図である。
【図６】ペアリングを成立させる処理の流れを説明するフローチャートである。
【図７】上側判定テーブルを例示する図である。
【図８】ペアリングオフタイマー設定画面を例示する図である。
【図９】登録撮影処理時の表示画面を例示する図である。
【図１０】「親機」の「フォルダ表示」画面を例示する図である。
【図１１】「子機」の「フォルダ表示」画面を例示する図である。
【図１２】サムネイル一覧表示例を示す図である。
【図１３】「親機」に表示されるスルー画像を例示する図である。
【図１４】「子機」に表示されるスルー画像を例示する図である。
【図１５】「親機」に表示されるスルー画像を例示する図である。
【図１６】「子機」に表示されるスルー画像を例示する図である。
【図１７】ＣＰＵが連携撮影１を行う場合に行う処理の流れを例示するフローチャートである。
【図１８】ＣＰＵが連携撮影２を行う場合に行う処理の流れを例示するフローチャートである。
【図１９】ＣＰＵが通常を行う場合に行う処理の流れを例示するフローチャートである。
【図２０】左側判定テーブルを例示する図である。
【発明を実施するための形態】
【０００８】
以下、図面を参照して本発明を実施するための形態について説明する。
図１は、本発明の一実施の形態による電子カメラ１の構成例を説明するブロック図である。図１において、電子カメラ１は、撮影光学系１１と、撮像素子１２と、ＡＦＥ(Analog front end)回路１３と、画像処理回路１４と、スピーカ駆動回路１５と、スピーカ１６と、ＬＣＤモニタ１７と、ＲＡＭ１８と、フラッシュメモリ１９と、ＣＰＵ２０と、メモリカードインターフェース(I/F)２１と、通信制御回路２２と、操作部材２３と、姿勢センサ２４と、音声処理回路２５と、ステレオマイク２６と、照明装置２８と、電源回路２９と、レンズ駆動回路３０とを備える。
【０００９】
ＣＰＵ２０、ＲＡＭ１８、フラッシュメモリ１９、メモリカードインターフェース２１、通信制御回路２２、音声処理回路２５、レンズ駆動回路３０、画像処理回路１４、照明装置２８、スピーカ駆動回路１５およびＬＣＤモニタ１７は、それぞれがバス２７を介して接続されている。
【００１０】
撮影光学系１１は、ズームレンズやフォーカシングレンズを含む複数のレンズ群で構成され、被写体像を撮像素子１２の撮像面に結像させる。なお、図１を簡単にするため、撮影光学系１１を単レンズとして図示している。
【００１１】
撮像素子１２は、受光素子が撮像面に二次元配列されたＣＭＯＳイメージセンサなどによって構成される。撮像素子１２は、撮影光学系１１によって結像された被写体像を光電変換してアナログ画像信号を生成する。アナログ画像信号は、ＡＦＥ回路１３に入力される。
【００１２】
ＡＦＥ回路１３は、アナログ画像信号に対して相関二重サンプリングやゲイン調整などのアナログ処理を行うとともに、アナログ処理後の画像信号をデジタル画像データに変換する。デジタル画像データは画像処理回路１４に入力される。画像処理回路１４は、デジタル画像データに対して各種の画像処理（色補間処理、階調変換処理、輪郭強調処理、ホワイトバランス調整処理、画像圧縮処理、画像伸張処理など）を施す。
【００１３】
スピーカ駆動回路１５は、ＣＰＵ２０から送出された音声データに基づいて、たとえば操作音、注意音、音声メッセージなどの音声再生信号を生成する。スピーカ１６は、音声再生信号に基づいて音声再生を行う。
【００１４】
ＬＣＤモニタ１７は液晶パネルによって構成され、ＣＰＵ２０からの指示に応じて画像や操作メニュー画面などを表示する。ＲＡＭ１８はＣＰＵ２０のワークメモリとして使用される。また、ＲＡＭ１８は、画像処理回路１４による画像処理の前工程や後工程でのデジタル画像データを一時的に記憶する。フラッシュメモリ１９は、ＣＰＵ２０に実行させるプログラムを記憶する他に、後述する参照用データを記憶する。
【００１５】
ＣＰＵ２０は、フラッシュメモリ１９が記憶するプログラムを実行することによって電子カメラ１が行う動作を制御する撮影制御部である。ＣＰＵ２０は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２によって所定の時間間隔（たとえば３０コマ／毎秒）で繰り返し取得されるモニタ用画像のことをいう。ＣＰＵ２０は、クロック信号に基づいて時刻を計時する計時機能も備える。
【００１６】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカードなどで構成される。
【００１７】
通信制御回路２２は、ＣＰＵ２０からの指示に応じて外部機器との間での通信を制御する。通信制御回路２２は、無線通信回路を備えており、アンテナ２２ａを介して電波を送受信する。本実施形態では、電子カメラ１と同様の構成を有する他の電子カメラ１との間で無線通信を行う例を説明する。なお、無線通信回路は、好適には、受信する信号の強度を測定したり、信号の送信範囲の制御を行うための回路、例えば、ＲＳＳＩ（Ｒｅｃｅｉｖｅｄ  Ｓｉｇｎａｌ  Ｓｔｒｅｎｇｔｈ  Ｉｎｄｉｃａｔｏｒ）回路を備えている。
【００１８】
通信制御回路２２はさらに、ＣＰＵ２０からの指示に応じて人体を介して通信を行う人体通信機能を備える。具体的には、電子カメラ１の筐体の上下左右の面においてそれぞれ送受信用電極２２ｂ〜２２ｅが露出するように配設される（図２）。電子カメラ１の使用者と、他の電子カメラ１の使用者とがそれぞれ少なくとも１つの送受信用電極に触れるように電子カメラ１を片手で把持し、両使用者が電子カメラ１を把持していない他方の手で互いに握手をすることにより、人体および人体間の容量結合によって形成される閉回路によって、両人体をアンテナとして電子カメラ１間の通信を行うものである（再表２００６／０５４７０６号公報）。なお、通信制御回路２２は、ＣＰＵ２０からの指示に応じてケーブルを介して通信を行う有線通信機能を備えてもよい。この場合、不図示の有線ＬＡＮポート等を有する。
【００１９】
操作部材２３は、後述するレリーズボタン２３ａ、ズームスイッチ２３ｂ  ２３ｃ、十字スイッチ２３ｇ、メニュースイッチ２３ｅなどを含む（図２）。操作部材２３は、モード切替え操作やメニュー選択操作など、各操作に応じた操作信号をＣＰＵ２０へ送出する。
【００２０】
姿勢センサ２４は、たとえば重力方向を検出し、検出信号をＣＰＵ２０へ送出する。ＣＰＵ２０は、検出信号に基づいて電子カメラ１の姿勢を判定する。具体的には、電子カメラ１の縦位置、横位置だけでなく、上下逆さか否かも判定する。
【００２１】
音声処理回路２５は、マイク２６で集音された音声信号を増幅し、増幅後の信号をＡ／Ｄ変換回路（不図示）によってデジタル音声データに変換する。照明装置２８は、夜間の撮影時に被写体を照明するための装置である。電源回路２９は、ＣＰＵ２０からの指示に応じて電池５２による電圧を電子カメラ１内の各部へ供給するとともに、電池５２の電圧を検出し、検出電圧を示す信号を電池残容量情報としてＣＰＵ２０へ送出する。
【００２２】
レンズ駆動回路３０は、撮影光学系１１を構成するフォーカスレンズを光軸方向に進退移動させてピント調節するためのフォーカス調節用モータ（不図示）を駆動する回路と、撮影光学系１１を構成するズームレンズを光軸方向に進退移動させて変倍比を調節するためのズーム調節用モータ（不図示）を駆動する回路とを含む。レンズ駆動回路３０は、ＣＰＵ２０からの指示に応じてフォーカス調節用モータおよびズーム調節用モータをそれぞれ駆動する。
【００２３】
電子カメラ１のＣＰＵ２０は、他の電子カメラ１（両者は同様の構成を有する）との間で通信を確立した状態で所定の協働処理を行う。電子カメラ１と他の電子カメラ１との間で通信が確立され、所定の協働処理が実行され得る状態を、以後、ペアリングとも呼ぶ。所定の協働処理が実行され得る状態とは、電子カメラ１と他の電子カメラ１との間で動作等にかかる指令を相互に送受信可能な状態である。また、協働処理としては、特に限定されるものではないが、例えば、電子カメラ１における動作と同一の動作を他の電子カメラ１に実行させたり、電子カメラ１における動作と異なる動作を他の電子カメラ１に実行させたり、他の電子カメラ１に画像データ等の情報を送信させたりする等が挙げられる。電子カメラ１のペアリングは、通常、電子カメラ１および他の電子カメラ１のうち一方から他方へコマンドおよびデータを送信し、これを受信した電子カメラ１がコマンド送信元の電子カメラ１へ返信して通信を確立後、後述する所定条件を満たすことによって成立する。なお、電子カメラ１と他の電子カメラ１との間での通信方式としては、例えば、有線通信、無線通信、人体通信等が挙げられる。また、これらの通信方式は、例えば、通信の確立までは人体通信とし、その後は無線通信とするなど、適宜組合せてもよい。
【００２４】
上記ペアリングを行うペアリングモードと、ペアリングを行わない通常モードとは切替え可能に構成される。このモード切替えは、たとえば、モードスイッチ２３ｄの押下操作に応じて切替えてもよいし、メニュースイッチ２３ｅの押下操作に応じて表示する「操作メニュー」画面の中で切替えを行うようにしてもよい。本説明では、ペアリングモードに切替えられている場合にＣＰＵ２０が行う処理を中心に説明する。
【００２５】
＜ペアリング成立条件＞
ペアリング成立条件は、４つの条件の中から選択可能に構成される。ペアリング成立条件を選択する操作は、他の電子カメラ１との間で通信を行う前に、あらかじめ以下のように行われる。
【００２６】
図２は、電子カメラ１の背面図である。電子カメラ１の背面には、ＬＣＤモニタ１７と、ズームスイッチ２３ｂ（Ｔ）と、ズームスイッチ２３ｃ（Ｗ）と、モードスイッチ２３ｄと、メニュースイッチ２３ｅと、削除スイッチ２３ｆと、十字スイッチ２３ｇと、ＯＫスイッチ２３ｈとが設けられている。また、電子カメラ１の筐体上面には上記送受信用電極２２ｂが設けられる。また、筐体下面には上記送受信用電極２２ｃが設けられる。そして、筐体右側面には上記送受信用電極２２ｄが、筐体左側面には上記送受信用電極２２ｄが、それぞれ設けられる。
【００２７】
ＣＰＵ２０は、メニュースイッチ２３ｅが押下操作されると、図３に例示する「操作メニュー」画面をＬＣＤモニタ１７に表示させる。「操作メニュー」には、複数の選択項目、例えば、「登録撮影」項目１７１と、「ペアリング成立条件設定」項目１７２と、「ペアリングオフタイマー」項目１７３と、「ペアリング人物設定」項目１７４とが含まれる。ＣＰＵ２０は、「操作メニュー」画面を表示中に十字スイッチ２３ｇが上下方向に押下操作されると、操作信号に応じて選択項目を上下に変更する。ＣＰＵ２０は、「ペアリング成立条件設定」項目１７２を選択した状態で十字スイッチ２３ｇが決定方向（右決定）に押下操作されると、図４に例示する「ペアリング成立条件設定」画面をＬＣＤモニタ１７に表示させる。
【００２８】
図４において、「ペアリング成立条件」として４つの選択項目、すなわち「通常」項目１７６と、「顔識別」項目１７７と、「握手」項目１７８と、「カメラタッチ」項目１７９とが表示される。ＣＰＵ２０は、図４に例示する画面を表示中に十字スイッチ２３ｇが上下方向に押下操作されると、操作信号に応じて選択項目を上下に変更する。ＣＰＵ２０は、十字スイッチ２３ｇが決定方向（右決定）に押下操作されると、その時点において選択している項目をペアリング成立条件として設定する。
【００２９】
＜通常＞
ペアリング成立条件が「通常」に設定された場合、ＣＰＵ２０は、他の電子カメラ１との間の通信確立を条件にペアリングを成立させる。通信制御回路２２は、所定範囲（たとえば、１０ｍ）で無線通信を行うようにあらかじめ送信電力が設定されている。なお、この送信電力は、ＣＰＵ２０からの指示によって段階的（たとえば、３ｍ、５０cm、３cm）に通信範囲を制限するように、あらかじめメニュー操作によって切替え可能に構成されている。
【００３０】
送信電力の切替えは、通信制御回路２２における送信電力を切替える代わりに、通信制御回路２２における送信電力を一定に保ったまま、通信制御回路２２において受信の有無を判定する際の判定閾値を高低切替えるようにしてもよい。本実施の形態においては、いずれの場合も両電子カメラ１間は非接触である。
【００３１】
＜顔識別＞
ＣＰＵ２０は、スルー画像に含まれる「顔」を検出し、その「顔」が所定人物の「顔」か否かを識別する機能を備える。本実施の形態においては、相手の「顔」を撮影するので、「顔」を識別する際の両電子カメラ１間は非接触である。顔検出処理および顔識別処理は、公知の技術であるため説明を省略する。ペアリング成立条件が「顔識別」に設定された場合、ＣＰＵ２０は、他の電子カメラ１との間の通信確立後、「顔識別」を条件にペアリングを成立させる。ペアリングを成立させる識別人物の設定操作は、他の電子カメラ１との間で通信を行う前に、あらかじめ以下のように行われる。
【００３２】
ＣＰＵ２０は、「操作メニュー」画面（図３）を表示中に「ペアリング人物設定」項目１７４を選択した状態で十字スイッチ２３ｇが決定方向（右決定）に押下操作されると、図５に例示する「ペアリング人物設定」画面をＬＣＤモニタ１７に表示させる。ＣＰＵ２０は、フラッシュメモリ１９内に記録（登録）されている全ての参照用データの中から「顔」のサムネイル画像データを読み出し、当該サムネイル画像を表示する。参照用データは、「顔」のサムネイル画像データと、当該画像データに基づいて生成された特徴量データとを含む。特徴量データは、上記「顔識別」に用いられる。「顔識別」に用いる参照用データは、あらかじめフラッシュメモリ１９内に記録（登録）されている。登録手順については後述する。
【００３３】
図５において、人物Ａ、人物Ｂ、および人物Ｃについての「顔」のサムネイル画像がそれぞれ表示されている。各サムネイル画像の左側には、それぞれチェックボックスが表示される。たとえば、サムネイル画像１７１の左側にはチェックボックス１７２が表示される。
【００３４】
ＣＰＵ２０は、「ペアリング人物設定」画面を表示中に十字スイッチ２３ｇが選択方向（上下方向）に押下操作されると、操作信号に応じてカーソル１７３の表示位置を上下に移動させる。ＣＰＵ２０は、ＯＫスイッチ２３ｈが押下操作された場合、カーソル１７３で囲まれているチェックボックス内にチェックマークを表示させる。ＣＰＵ２０は、チェックボックスにチェックマークを表示した状態でＯＫスイッチ２３ｈが押下操作されると、当該チェックボックスのチェックマークを消す。ＣＰＵ２０は、「ペアリング人物設定」画面の中でチェックマークで示されるサムネイル画像の「顔」を、識別対象として設定する。
【００３５】
＜握手＞
ペアリング成立条件が「握手」に設定された場合、ＣＰＵ２０は、他の電子カメラ１との間の通信確立後、上記人体通信によるデータ受信を条件にペアリングを成立させる。たとえば、上述したように通信確立した電子カメラ１および他の電子カメラ１の双方の使用者が握手（お互いの皮膚が触れればよい）をすると形成される閉回路により、電子カメラ１同士が所定のデータを送受してペアリングを成立させる。本実施の形態においては、握手の場合も両電子カメラ１間は非接触である。
【００３６】
＜カメラタッチ＞
ペアリング成立条件が「カメラタッチ」に設定された場合、ＣＰＵ２０は、他の電子カメラ１との間の通信確立後、両電子カメラ１間の直接接触を条件にペアリングを成立させる。上述したように、電子カメラ１の筐体の上下左右の面においてそれぞれ送受信用電極２２ｂ〜２２ｅが露出するように配設されている（図２）。電子カメラ１同士がこれら送受信用電極２２ｂ〜２２ｅのいずれかで直接接触する場合、人体を介する人体通信時に比べて閉回路のインピーダンスが低いために大きな電流が流れる。ＣＰＵ２０は、通信制御回路２２を通してこの信号電流の発生を検知することにより、電子カメラ１相互の接触を判定する。なお、通信制御回路２２は、送受信用電極２２ｂ〜２２ｅのうちどの電極で接触したかを特定してＣＰＵ２０へ知らせるように構成されている。
【００３７】
ペアリングモードに切替えられているＣＰＵ２０がペアリングを成立させる処理の流れについて、図６に例示するフローチャートを参照して説明する。通信確立前の通信を無線通信で行う例である。電子カメラ１のＣＰＵ２０および他の電子カメラ１のＣＰＵは、ペアリングモードに切替えられると図６による処理を行うプログラムをそれぞれ起動させる。
【００３８】
図６のステップＳ１１において、ＣＰＵ２０は、通信要求を行ってステップＳ１２へ進む。たとえば、ＣＰＵ２０が通信制御回路２２へ指示を送り、上記１０ｍ範囲に位置する他の電子カメラ１に届く送信電力で通信要求コマンドを送信させる。ステップＳ１２において、ＣＰＵ２０は、通信要求に対する返信の有無を判定する。ＣＰＵ２０は、通信制御回路２２で返信が受信された場合にステップＳ１２を肯定判定してステップＳ１３へ進む。ＣＰＵ２０は、返信が受信されない場合にはステップＳ１２を否定判定してステップＳ１７へ進む。
【００３９】
ステップＳ１３において、ＣＰＵ２０は、ペアリング成立条件が「通常」か否かを判定する。ＣＰＵ２０は、ペアリング成立条件が「通常」に設定されている場合、ステップＳ１３を肯定判定してステップＳ１６へ進む。ＣＰＵ２０は、ペアリング成立条件が「通常」に設定されていない場合には、ステップＳ１３を否定判定してステップＳ１４へ進む。
【００４０】
ステップＳ１６において、ＣＰＵ２０は通信制御回路２２へ指示を送り、他の電子カメラ１へ確認信号を送信させるとともに、送信先である他の電子カメラ１との間のペアリング成立回数を計数するカウンタを１つインクリメントさせてステップＳ２７へ進む。確認信号は、ペアリングにおける「親機」が「子機」へ発する信号である。ここで、上記通信要求に通信要求側の識別情報（たとえば、電子カメラ１のＩＤ）を含め、上記返信に返信側の識別情報（他の電子カメラ１のＩＤ）を含めることにより、ペアリングの成立をＩＤごとに管理する。
【００４１】
本実施形態では、「親機」と「子機」を以下のように決定する。ペアリング成立条件が「通常」に設定されている場合（ステップＳ１３を肯定判定）は、最初に通信要求を送信（Ｓ１１）した電子カメラ１をペアリングにおける「親機」とし、該通信要求に応じて返信（Ｓ１８）した電子カメラ１をペアリングにおける「子機」とする。ペアリング成立条件が「顔認識」に設定されている場合（ステップＳ１５を肯定判定）は、「顔識別」を行った方の電子カメラ１をペアリングにおける「親機」とし、「顔識別」された方の電子カメラ１をペアリングにおける「子機」とする。ペアリング成立条件が「握手」に設定されている場合（ステップＳ２３を肯定判定）は、上記人体通信による閉回路を介して最初にコマンドおよびデータを送信した電子カメラ１をペアリングにおける「親機」とし、これを受信した電子カメラ１をペアリングにおける「子機」とする。「カメラタッチ」の場合の「親機」と「子機」の決定については後述する。
【００４２】
ステップＳ２７において、ＣＰＵ２０は、時刻合わせを行って図６による処理を終了する。時刻合わせは、たとえば、「親機」の時刻に「子機」の時刻を合わせることによって行う。具体的には、ＣＰＵ２０が通信制御回路２２へ指示を送り、時刻情報を他の電子カメラ１へ送信させる。これにより、「親機」の時刻情報が「子機」へ伝えられて両者の時刻を揃えることができる。図６の処理の終了により、「親機」と「子機」との関係でペアリングが成立する。そして、時刻合わせのなされた「親機」と「子機」とは、ペアリング成立後、計時をそれぞれ開始する。ＣＰＵ２０は、ペアリング成立中において所定の処理を行う。ペアリング成立中の処理については後述する。
【００４３】
ステップＳ１４において、ＣＰＵ２０は、ペアリング成立条件が「顔識別」か否かを判定する。ＣＰＵ２０は、ペアリング成立条件が「顔識別」に設定されている場合、ステップＳ１４を肯定判定してステップＳ１５へ進む。ＣＰＵ２０は、ペアリング成立条件が「顔識別」に設定されていない場合には、ステップＳ１４を否定判定してステップＳ２２へ進む。
【００４４】
ステップＳ１５において、ＣＰＵ２０は、「顔識別」したか否かを判定する。ＣＰＵ２０は、登録されている顔を識別した場合にステップＳ１５を肯定判定してステップＳ１６へ進み、登録されている顔を識別しない場合にはステップＳ１５を否定判定してステップＳ２６へ進む。なお、ＣＰＵ２０は、「顔識別」に用いるスルー画像をＬＣＤモニタ１７にリアルタイムに再生表示させるとともに、「顔識別」した場合には、当該「顔」を示す表示（たとえば、「顔」を囲む枠など）をスルー画像に重ねて表示させる。ＣＰＵ２０は、複数の「顔」を識別した場合には、たとえば、１番大きい顔（スルー画像に占める割合が最大のもの）を選ぶ。
【００４５】
ステップＳ２２において、ＣＰＵ２０は、ペアリング成立条件が「握手」か否かを判定する。ＣＰＵ２０は、ペアリング成立条件が「握手」に設定されている場合、ステップＳ２２を肯定判定してステップＳ２３へ進む。ＣＰＵ２０は、ペアリング成立条件が「握手」に設定されていない場合には、ステップＳ２２を否定判定してステップＳ２４へ進む。
【００４６】
ステップＳ２３において、ＣＰＵ２０は、通信制御回路２２から人体通信にて所定のデータを受信したことを示す信号が送信されるとステップＳ２３を肯定判定してステップＳ１６へ進む。ＣＰＵ２０は、人体通信による所定のデータ受信を示す信号が通信制御回路２２から送信されない場合には、ステップＳ２３を否定判定してステップＳ２６へ進む。なお、本実施形態では、人体通信の閉回路が形成されると、ペアリング成立可を示すデータを送るように構成されている。
【００４７】
ステップＳ２４において、ＣＰＵ２０は、通信制御回路２２から電子カメラ１相互の接触を示す信号を受信したか否かを判定する。ＣＰＵ２０は、通信制御回路２２から電子カメラ１相互の接触を示す信号が入力されるとステップＳ２４を肯定判定してステップＳ２５へ進む。ＣＰＵ２０は、相互接触を示す信号が入力されない場合にはステップＳ２４を否定判定してステップＳ２６へ進む。
【００４８】
ステップＳ２５において、ＣＰＵ２０は上側判定処理を行う。上側判定とは、電子カメラ１相互が接触した場合にどちらの電子カメラ１が上側に位置するかを判定するものであり、本実施形態では反重力方向に位置するものを「上」側とする。
【００４９】
ＣＰＵ２０は、姿勢センサ２４からの検出信号に基づく重力方向、および通信制御回路２２からの信号に基づく接触電極情報に基づいて、図７に例示する判定テーブルを参照して上側判定を行う。たとえば、電子カメラ１を縦位置（右側面を下方）に保持して、該右側面にて他の電子カメラ１の上面（正位置）をカメラタッチした場合を例に説明する。電子カメラ１のＣＰＵ２０は、重力方向が送受信電極２２ｄ側であって、接触電極が該送受信電極２２ｄであることから、「上」判定をする。本実施形態では、「上」判定した方をペアリングにおける「親機」とし、「下」判定した方をペアリングにおける「子機」とする。一方、上記電子カメラ１にカメラタッチされた他の電子カメラ１のＣＰＵは、重力方向が送受信電極２２ｃ側（正位置）であって、接触電極が上面（該送受信電極２２ｂ）であることから、「下」判定をする。
【００５０】
「上」判定をした場合のＣＰＵ２０は、ステップＳ２５を肯定判定してステップＳ１６へ進む。「上」判定をしなかったＣＰＵ２０は、ステップＳ２５を否定判定してステップＳ２０へ進む。ステップＳ２０へ進むのは、「子機」として「親機」からの確認信号を待ち受けるためである。
【００５１】
ステップＳ２６において、ＣＰＵ２０はタイムアウトか否かを判定する。ＣＰＵ２０は、所定のタイムアウト時間（たとえば、１分）を経過した場合にステップＳ２６を肯定判定してステップＳ１へ戻り、上述した処理を繰り返す。ＣＰＵ２０は、上記タイムアウト時間を経過していない場合には、ステップＳ２６を否定判定してステップＳ１４へ戻り、上述した処理を繰り返す。
【００５２】
ステップＳ１２を否定判定して進むステップＳ１７において、ＣＰＵ２０は、他の電子カメラ１からの通信要求の有無を判定する。ＣＰＵ２０は、通信制御回路２２で通信要求コマンドが受信された場合にステップＳ１７を肯定判定してステップＳ１８へ進む。ＣＰＵ２０は、通信制御回路２２で通信要求コマンドが受信されない場合には、ステップＳ１７を否定判定してステップＳ１１へ戻る。
【００５３】
ステップＳ１８において、ＣＰＵ２０は、返信を行ってステップＳ１９へ進む。たとえば、ＣＰＵ２０が通信制御回路２２へ指示を送り、他の電子カメラ１へ向けて返信を行わせる。ステップＳ１９において、ＣＰＵ２０は、接触を示す信号が受信されたか否かを判定する。ＣＰＵ２０は、通信制御回路２２から電子カメラ１相互の接触を示す信号が入力されるとステップＳ１９を肯定判定してステップＳ２５へ進み、相互接触を示す信号が入力されない場合にはステップＳ１９を否定判定してステップＳ２０へ進む。
【００５４】
ステップＳ２０において、ＣＰＵ２０は、通信制御回路２２で他の電子カメラ１からの確認信号を受信したか否かを判定する。ＣＰＵ２０は、確認信号が受信された場合にステップＳ２０を肯定判定するとともに、ペアリングを成立させてステップＳ２８へ進む。ＣＰＵ２０は、確認信号が受信されない場合はステップＳ２０を否定判定してステップＳ２１へ進む。
【００５５】
ステップＳ２８において、ＣＰＵ２０は時刻合わせを行って図６による処理を終了する。時刻合わせは、「親機」から送信される時刻情報に時刻を合わせることによって行う。図６の処理の終了により、「子機」と「親機」との関係でペアリングが成立する。
【００５６】
ステップＳ２１において、ＣＰＵ２０はタイムアウトか否かを判定する。ＣＰＵ２０は、所定のタイムアウト時間（たとえば、１秒）を経過した場合にステップＳ２１を肯定判定してステップＳ１１へ戻り、上述した処理を繰り返す。ＣＰＵ２０は、上記タイムアウト時間を経過していない場合には、ステップＳ２１を否定判定してステップＳ２０へ戻り、上述した処理を繰り返す。
【００５７】
なお、ステップＳ１６における確認信号の送信は、ペアリング成立条件が「握手」の場合には人体通信によって送信しても構わない。
【００５８】
以上説明したように成立したペアリングは、手動操作（たとえば、モードスイッチ２３ｄの押下操作によるペアリングモード解除）によって終了する他、あらかじめ設定しておいたオフタイマーによって自動終了させる。また、記憶媒体５１の空き容量が所定の空き容量より少ない場合、他の電子カメラ１側の記憶媒体５１の空き容量が所定の空き容量より少ない旨の情報を通信によって取得した場合、電池５２の残容量が所定の残容量より少ない場合、他の電子カメラ１側の電池５２の残容量が所定の残容量より少ない旨の情報を通信によって取得した場合の少なくとも１つに該当する場合は、ペアリングを自動終了するようにしてもよいし、両電子カメラ１の記憶媒体５１の空き容量や、電池５２の残容量の少なくとも１つの情報に応じて、ペアリングモードの滞在時間やペアリングモードでの静止画の撮影枚数や画像モード（高画質、標準、エコノミーなどの記録画素数）および動画撮影時の撮影時間やフレームレートを設定するようにしてもよい。なお、電子カメラ１と他の電子カメラ１との距離が上記通信範囲外へ離れた場合にもペアリングを終了する。ペアリング終了する際のＣＰＵ２０は、ペアリングを成立させた相手の識別情報（たとえば、電子カメラ１のＩＤ）、当該相手の電子カメラ１とのペアリング成立回数、および当該相手の電子カメラ１とのペアリング累積時間を、電子カメラ１のＩＤごとに関連づけてフラッシュメモリ１９内に保存しておく。
【００５９】
ここで、ペアリングオフタイマーの設定手順について図８を参照して説明する。ＣＰＵ２０は、「操作メニュー」画面（図３）を表示中に「ペアリングオフタイマー」項目１７３を選択した状態で十字スイッチ２３ｇが決定方向（右方向）に押下操作されると、図８に例示する「ペアリングオフタイマー」設定画面をＬＣＤモニタ１７に表示させる。ＣＰＵ２０は、「ペアリングオフタイマー」設定画面を表示中に十字スイッチ２３ｇが選択方向（上下方向）に押下操作されると、操作信号に応じて選択項目を上下に変更する。ＣＰＵ２０は、十字スイッチ２３ｇが右方向に押下操作されると、その時点において選択している項目に決定する。
【００６０】
「オフ」項目７１に決定した場合のＣＰＵ２０は、ペアリングの終了を上記手動によるペアリング解除操作によって行う。「３０分」項目７２に決定されている場合のＣＰＵ２０は、ペアリングの終了をペアリングモード解除操作、およびペアリング開始時から３０分経過時のうち、いずれか早い方によって行う。ペアリング開始時は、ステップＳ２７における時刻合わせ時点に相当する。また、「１時間」項目７３に決定されている場合のＣＰＵ２０は、ペアリングの終了をペアリングモード解除操作、およびペアリング開始時から１時間経過時のうち、いずれか早い方によって行う。
【００６１】
＜登録撮影処理＞
「顔識別」に用いる参照用データをフラッシュメモリ１９内に記録（登録）する処理について説明する。ＣＰＵ２０は、ＬＣＤモニタ１７に表示中の「操作メニュー画面」（図３）において「登録撮影」項目１７１を選択した状態で十字スイッチ２３ｇが右方向に押下操作されると、登録撮影処理を行うためのプログラムを起動する。
【００６２】
登録撮影プログラムを起動したＣＰＵ２０は、ＬＣＤモニタ１７にアシスト枠Ｇを表示させる。図９は、ＬＣＤモニタ１７の表示例を説明する図である。ＣＰＵ２０は、ＲＡＭ１８が記憶している直近のスルー画像データに基づく画像をＬＣＤモニタ１７に表示させるとともに、アシスト枠Ｇを表示中の画像に重ねて表示させる。撮影者は、登録しようとする被写体人物の顔がアシスト枠Ｇ内に収まるように電子カメラ１を構える。
【００６３】
ＣＰＵ２０は、登録撮影処理を終了させる操作信号（たとえば、メニュースイッチ２３ｅからの操作信号）を受けた場合には、アシスト枠Ｇの表示を終了させて登録撮影処理を終了する。一方、ＣＰＵ２０は、登録撮影処理を終了させる操作信号（たとえば、メニュースイッチ２３ｅからの操作信号）を受けない場合には、レリーズスイッチがオンしたか否かを判定する。ＣＰＵ２０は、レリーズボタン２３ａが全押し操作された場合に撮影処理を行う。
【００６４】
そしてＣＰＵ２０は、撮影処理で取得した画像データが顔識別に使えるか否かを判定する。ＣＰＵ２０は、画像データのうちアシスト枠Ｇ内に対応するデータに基づいて顔検出処理を行い、顔を検出した場合には当該顔が登録されている顔か否かを判定する。具体的には、検出した顔の領域の画像データと、フラッシュメモリ１９内に登録されているサムネイル画像の「顔」に対応する参照用データとに基づいて顔識別処理を行うことにより、検出されている人物の顔と、参照用データに含まれている人物の顔とが同一人物のものであるか否かを識別する。
【００６５】
ＣＰＵ２０は、既に登録されている顔の場合にはＬＣＤモニタ１７に、たとえば、「既に登録されています」と表示させる。登録されている顔でない場合には新たな人物の「顔」として参照用データをフラッシュメモリ１９に記録（登録）する。具体的には、アシスト枠Ｇ内に対応する画像データに基づいてサムネイル画像データを生成し、上記画像データに基づいて特徴量データを生成する。そして、サムネイル画像データおよび特徴量データを含む参照用データをフラッシュメモリ１９に記録する。これにより、ペアリング人物設定画面（図５）における人物Ｂのように、参照用データが登録される。
【００６６】
＜参照用データの削除＞
フラッシュメモリ１９に記録（登録）された参照用データは、以下のように削除可能である。ＬＣＤモニタ１７にペアリング人物設定画面（図５）を表示した状態で削除スイッチ２３ｆが押下操作されると、ＣＰＵ２０は、カーソル１７３で示される人物に関する参照用データを削除対象とする。
【００６７】
ＣＰＵ２０は、カーソル１７３で囲まれている人物Ｂについて、たとえば「人物Ｂのデータを削除しますか？」というメッセージをＬＣＤモニタ１７に表示する。ＣＰＵ２０は、再度削除スイッチ２３ｆが押下操作されると、表示中のサムネイル画像データ、および対応する特徴量データを含む参照用データをフラッシュメモリ１９から消去する。これにより、ペアリング人物設定画面（図５）から人物Ｂについての表示が削除される。
【００６８】
＜ペアリング成立中の処理＞
１．画像閲覧
ＣＰＵ２０は、ペアリング成立中は、あらかじめ共有設定をしたファイルフォルダについて、その内容を相手側の電子カメラ１から無線通信（ペアリング成立条件が「握手」に設定されている場合は、無線通信または人体（上記「握手」などで形成された閉回路））を介して閲覧可能とする。本実施形態において閲覧は、ペアリング成立相手の電子カメラ１から受信した画像データによる再生画像をＬＣＤモニタ１７に再生表示することをいい、受信した画像データを電子カメラ１内の不揮発性メモリ（フラッシュメモリ１９および記憶媒体５１）へ記録保存することと異なる。共有設定は、たとえば、図３に例示した「操作メニュー」における設定項目に含めて行うことができる。
【００６９】
図１０は、「親機」であるＸさんの電子カメラ１のＬＣＤモニタ１７に表示された「フォルダ表示」画面の例である。図１０において、自分（Ｘさん）のカメラ内のフォルダが表示されている。「自分のカメラ」側の「ペアフォルダ」は、ペアリング成立中にペアリングの相手（本例では「子機」であるＢさんの電子カメラ１）に閲覧を許可するフォルダである。「自分のカメラ」側の「ペアフォルダ」内に記録されて・BR>「る画像ファイルは、確立している無線通信（ペアリング成立条件が「握手」に設定されている場合は、無線通信または人体通信）を介して「子機」であるＢさんの電子カメラ１から閲覧できる。
【００７０】
図１０には、「子機」であるＢさんの電子カメラ１内のフォルダも表示されている。「Ｂさんのカメラ」側の「ペアフォルダ」は、ペアリング成立中にペアリングの相手（本例では「親機」であるＸさんの電子カメラ１）に閲覧を許可するフォルダである。
【００７１】
図１１は、「子機」であるＢさんの電子カメラ１のＬＣＤモニタに表示された「フォルダ表示」画面の例である。図１１において、自分（Ｂさん）のカメラ内のフォルダが表示されている。「自分のカメラ」側の「ペアフォルダ」は、ペアリング成立中にペアリングの相手（本例では「親機」であるＸさんの電子カメラ１）に閲覧を許可するフォルダである。「自分のカメラ」側の「ペアフォルダ」内に記録されている画像ファイルは、確立している無線通信（ペアリング成立条件が「握手」に設定されている場合は、無線通信または人体通信）を介して「親機」であるＸさんの電子カメラ１から閲覧できる。
【００７２】
図１１には、「親機」であるＸさんの電子カメラ１内のフォルダも表示されている。「Ｘさんのカメラ」側の「ペアフォルダ」は、ペアリング成立中にペアリングの相手（本例では「子機」であるＢさんの電子カメラ１）に閲覧を許可するフォルダである。
【００７３】
ペアリング成立中の電子カメラ１は、「自分のカメラ」側の全てのフォルダと、ペアリングの相手である「○○さんのカメラ」側の「ペアフォルダ」とを閲覧できる。フォルダ選択操作（十字スイッチ２３ｇの押下操作で選択、およびＯＫスイッチ２３ｈの押下操作で決定）が行われた場合のＣＰＵ２０は、選択決定したフォルダ内に記録されている画像ファイルによるサムネイル画像をＬＣＤモニタ１７に表示させる。
【００７４】
図１２は、サムネイル一覧表示例を示す図である。複数のサムネイルのうち１つにカーソル１３１が表示されている。カーソル位置は、サムネイル選択操作（十字スイッチ２３ｇの押下操作）で上下左右に移動自在である。ＯＫスイッチ２３ｈが押下操作された場合、ＣＰＵ２０は、その時点でカーソルが位置するサムネイル画像に対応する再生画像をＬＣＤモニタ１７にフルスクリーン表示させる。
【００７５】
２．ペアリングのランクづけ
ＣＰＵ２０は、ペアリングを成立させた相手の情報（電子カメラ１の識別情報）にランク付けを行う。ランクは低い方から高い方へ、たとえばランク１〜ランク３の３段階に分ける。「親機」側のＣＰＵ２０は、ペアリングを成立させた相手（本例では識別情報によって示される電子カメラ１）とのペアリング成立回数、およびペアリング累積時間に応じてランクを上げる。ランクを上げるか否かの判定に用いるペアリング成立回数およびペアリング累積時間は、あらかじめ電子カメラ１に対して設定され、設定内容がフラッシュメモリ１９に保存されている。フラッシュメモリ１９に記録保存されているペアリング成立回数やペアリング累積時間の設定変更は、たとえば、図３に例示した「操作メニュー」における設定項目に含めて行うことができる。
【００７６】
たとえば、ペアリング成立回数が２０回を超える、およびペアリング累積時間が８時間を超える、のいずれかを達成した場合、「親機」側のＣＰＵ２０はランク１からランク２へランクを変更し、変更内容をペアリング成立相手の識別情報に関連づけてフラッシュメモリ１９に保存する。
【００７７】
ＣＰＵ２０はさらに、たとえば、ペアリング成立回数が５０回を超える、およびペアリング累積時間が２０時間を超える、のいずれかを達成した場合、「親機」側のＣＰＵ２０はランク２からランク３へランクを変更し、変更内容をペアリング成立相手の識別情報に関連づけてフラッシュメモリ１９に保存する。
【００７８】
一般に、ペアリングの成立頻度が高い相手は、お互いをよく知った信頼できる相手や、家族や恋人など身近で親密度が高い人物であることが多い。ペアリング実績に応じてランクを分けるようにすることで、ペアリング相手を親密度に応じて自動的にグルーピングできる。
【００７９】
３．ランクに応じた処理
ＣＰＵ２０は、ランク１である相手（本例では識別情報によって示される電子カメラ１）とペアリング成立中は、上述したように、あらかじめ共有設定をしたファイルフォルダについて、その内容を相手側の電子カメラ１から無線通信（ペアリング成立条件が「握手」に設定されている場合は、無線通信または人体通信）を介して閲覧可能とする。この場合、ペアリング成立中に撮影した撮影画像に限って閲覧可能とし、ペアリング非成立時に撮影した撮影画像については相手からの閲覧対象に含めない。
【００８０】
ＣＰＵ２０はさらに、ランク２である相手（本例では識別情報によって示される電子カメラ１）とペアリング成立中は、あらかじめ共有設定をしたファイルフォルダに含まれるペアリング成立中に撮影した撮影画像だけでなく、当該共有設定をしたファイルフォルダに含まれるペアリング非成立時に撮影した撮影画像についても相手からの閲覧対象に含める。
【００８１】
そしてさらに、ＣＰＵ２０は、ランク３である相手（本例では識別情報によって示される電子カメラ１）とペアリング成立中は、あらかじめ共有設定をしたファイルフォルダに含まれる全画像について、閲覧だけでなくコピーも許可する。本実施形態においてコピーは、ペアリング成立相手の電子カメラ１側のファイルフォルダに含まれる撮影画像を複製し、自己の電子カメラ１側のファイルフォルダに記録保存することをいう。
【００８２】
ペアリング成立相手ランク付けは、手動操作によってランクアップまたはランクダウンが可能に構成される。ＣＰＵ２０は、操作部材２３からの操作信号によってランクアップまたはランクダウンを示す操作信号が入力された場合、操作信号に応じてランク１〜ランク３の範囲でランクの変更を行う。この場合にも、変更内容をペアリング成立相手の識別情報に関連づけてフラッシュメモリ１９に保存するとともに、変更後のランクに応じて閲覧制限やコピー制限を行う。ランク情報は、「親機」から「子機」へ送信し、「親機」が管理する。
【００８３】
上述したペアリング成立回数、およびペアリング累積時間に応じたランクの自動変更と手動操作によるランクの変更とが競合した場合は、手動操作による変更を優先させる。なお、ＣＰＵ２０は、操作部材２３からの操作信号によってランクアップまたはランクダウンを示す操作信号が入力された場合、ペアリング成立相手側へランク変更要求を示す信号を送り、変更ＯＫを示す信号が返信された場合に限りランク変更を行い、変更ＯＫを示す信号が返信されない場合はランク変更を行わない。
【００８４】
一方、ペアリング成立相手側からのランク変更要求を示す信号を受信したＣＰＵ２０ は、「ランク変更要求を受信しました。ランク変更してよいですか？」というメッセージをＬＣＤモニタ１７に表示させる。ＣＰＵ２０は、変更ＯＫを示す操作信号が操作部材２３から受信した場合に限り、ランク変更ＯＫを示す信号をペアリング成立相手側へ送信する。
【００８５】
４．閲覧時のフィルタ処理
ＣＰＵ２０は、ランクの高低に応じて、閲覧時の表示解像度を変える。ペアリング成立した「親機」は、「子機」側に記録されている画像を「親機」側のＬＣＤモニタに再生表示して閲覧させるとき、ランクによって異なるローパスフィルタ処理を行うことにより、ランクが低いほど低解像度閲覧、ランクが高いほど高解像度閲覧させるように表示解像度を変える。ペアリング成立した「子機」も同様に、「親機」側に記録されている画像を「子機」側のＬＣＤモニタに再生表示して閲覧させるとき、ランクによって異なるローパスフィルタ処理を行うことにより、ランクが低いほど低解像度閲覧、ランクが高いほど高解像度閲覧させるように表示解像度を変える。
なお、閲覧時のフィルタ処理に関しては、そのほかに、無線通信回路により検出された電子カメラ１間での通信状態に応じてローパスフィルタ処理を行う。通信状態の例としては、電子カメラ１間での通信強度や、単位時間当たりの信号の伝送量が挙げられる。通信強度を例にすると、通信強度が低いほど低解像度閲覧、通信強度が高いほど高解像度閲覧させるように表示解像度を変える。ペアリング成立した「子機」も同様に、「親機」側に記録されている画像を「子機」側のＬＣＤモニタに再生表示して閲覧させるとき、通信強度によって異なるローパスフィルタ処理を行うことにより、通信強度が低いほど低解像度閲覧、通信強度が高いほど高解像度閲覧させるように表示解像度を変える。このように構成すれば、ＬＣＤモニタに再生表示された画像の解像度によって、ユーザは、両電子カメラ１間の距離が近いのか、遠いのか、容易に判断が可能となる。
【００８６】
５．撮影
ペアリング成立中は、「親機」側の電子カメラ１および「子機」側の電子カメラ１がそれぞれ単独で撮影処理を行う通常撮影と、「親機」側の電子カメラ１と「子機」側の電子カメラ１とを連携させて双方で撮影処理を行う連携撮影とを行うことができる。通常撮影を行うか、連携撮影を行うかの設定は、あらかじめ、図３に例示した「操作メニュー」における設定項目に含めて行うことができる。
【００８７】
−通常撮影−
ＣＰＵ２０は、レリーズボタン２３ａ（図２）の操作に基づいて撮影を行う。ＣＰＵ２０は、撮影処理前の情報および撮影処理で取得した画像データに基づいて、画像データおよび撮影情報を含むＥｘｉｆ形式の画像ファイルを生成する。Ｅｘｉｆ形式の画像ファイルは、JPEG画像フォーマットの画像データ内にサムネイル画像や撮影情報などのデータを埋め込むようにしたものである。ＣＰＵ２０は、画像ファイルを記憶媒体５１へ記録する。
【００８８】
Ｅｘｉｆ形式の画像ファイルの構造は、画像の付属情報を記録するヘッダ領域と撮影画像データを記録する画像データ領域とを有する。ＣＰＵ２０は、画像ファイル内のヘッダ領域（タグ領域）に、ペアリング成立中に撮影した画像であることを示す情報を記録する。ペアリング成立中に撮影した画像であることを示す情報は、ペアリングの相手の識別情報および時刻合わせ後の計時に基づく撮影時刻情報を含む。
【００８９】
ペアリング成立中に撮影した画像であることを示す情報は、画像ファイルのヘッダ領域に記録する代わりに、画像ファイルに関連付けた別ファイルとして記録しても構わない。
【００９０】
上記通常撮影の処理は、レリーズ操作された「親機」または「子機」がそれぞれ行う。ペアリング成立中に生成した画像ファイルは、あらかじめ共有設定をしたファイルフォルダ内に記録する。
【００９１】
−連携撮影１−
ペアリング成立中において、「親機」側の電子カメラ１と「子機」側の電子カメラ１とが異なる撮影条件で撮影するように制御する。たとえば、「親機」のシャッター速度を「子機」のシャッター速度より速く制御する。連携撮影１を行う設定は、図３に例示した「操作メニュー」における設定項目に含めて行うことができる。
【００９２】
図１７は、ペアリング成立中のＣＰＵ２０が連携撮影１を行う場合に繰り返し実行する処理の流れを例示するフローチャートである。「親機」側の電子カメラ１と「子機」側の電子カメラ１の双方のＣＰＵ２０がそれぞれ実行する。図１７のステップＳ１０１において、ＣＰＵ２０は、ペアリングの相手の電子カメラ１から送信されるレリーズ信号を受信したか否かを判定する。レリーズ信号は、「親機」および「子機」のうちレリーズボタン２３ａ（図２）が押下操作された電子カメラ１が他方の電子カメラ１へ撮影を指示する信号である。
【００９３】
ＣＰＵ２０は、レリーズ信号を受信した場合にステップＳ１０１を肯定判定してステップＳ１１１へ進む。ステップＳ１１１〜ステップＳ１１５の処理は、ペアリング成立中に「親機」および「子機」のうちレリーズボタン２３ａ（図２）が押下操作されなかった方の電子カメラ１のＣＰＵ２０が行う処理に相当する。
【００９４】
ＣＰＵ２０は、レリーズ信号を受信しない場合にはステップＳ１０１を否定判定してステップＳ１０２へ進む。レリーズボタン２３ａが「親機」および「子機」のいずれかで操作されるまでは、双方の電子カメラ１のＣＰＵ２０がそれぞれステップＳ１０１〜ステップＳ１０４の処理を繰り返す。
【００９５】
ステップＳ１０２において、ＣＰＵ２０は、構図ガイド機能がオンされているか否かを判定する。構図ガイドは、ペアリング成立中に「親機」および「子機」が共通の被写体を異なる撮影アングルで撮影するようにガイドを行う機能である。構図ガイドのオン／オフ設定は、あらかじめ、図３に例示した「操作メニュー」における設定項目に含めて行うことができる。
【００９６】
ＣＰＵ２０は、構図ガイド機能がオン設定されている場合にステップＳ１０２を肯定判定してステップＳ１０３へ進み、構図ガイド機能がオン設定されていない場合にはステップＳ１０２を否定判定してステップＳ１０４へ進む。
【００９７】
ステップＳ１０３において、ＣＰＵ２０は構図ガイドを行う。図１３および図１５は、「親機」であるＸさんの電子カメラ１のＬＣＤモニタ１７に表示されるスルー画像を例示する図である。図１４および図１６は、「子機」であるＢさんの電子カメラ１のＬＣＤモニタ１７に表示されるスルー画像を例示する図である。
【００９８】
「親機」および「子機」は、それぞれ自身で取得したスルー画像をＬＣＤモニタ１７に再生表示している。各ＣＰＵ２０は、スルー画像に基づいて「顔」検出処理を行い、「顔」を検出した場合には当該「顔」を示す枠をスルー画像に重ねて表示させる。ＣＰＵ２０は、「顔」領域のデータから得られる輪郭と目鼻の位置関係に基づいて、撮影方向を判定し、どちらへ動くべきかをＬＣＤモニタ１７上にガイド表示する。
【００９９】
図１３の場合、「親機」であるＸさんが被写体人物の左へ回って電子カメラ１を構えるように促すべく、目安となる顔アイコンと矢印を点灯表示させ、さらにアングルガイド中であることを示す「アングルガイド」を点滅表示させる。図１４の場合、「子機」であるＢさんが被写体人物の右へ回って電子カメラ１を構えるように促すべく、目安となる顔アイコンと矢印を点灯表示させ、さらにアングルガイド中であることを示す「アングルガイド」を点滅表示させる。
【０１００】
ＣＰＵ２０は、顔アイコンと目鼻の位置関係が合致したら、「ＯＫ」表示させて撮影を促す（図１５、図１６）。「ＯＫ」表示していない状態でも撮影は可能である。なお、顔アイコンや「アングルガイド」表示、「ＯＫ」表示が撮影画像に含まれるわけではない。
【０１０１】
ステップＳ１０４において、ＣＰＵ２０は、レリーズボタン２３ａ（図２）が押下操作されたか否かを判定する。ＣＰＵ２０は、レリーズボタン２３ａの押下を示す操作信号が操作部材２３から入力された場合にステップＳ１０４を肯定判定してステップＳ１０５へ進み、レリーズボタン２３ａの押下を示す操作信号が操作部材２３から入力されない場合には、ステップＳ１０４を否定判定してステップＳ１０１へ戻る。ステップＳ１０１へ戻る場合は上述した処理を繰り返す。
【０１０２】
ステップＳ１０５〜ステップＳ１１０の処理は、ペアリング成立中に「親機」および「子機」のうちレリーズボタン２３ａが押下操作された電子カメラ１のＣＰＵ２０が行う処理である。
【０１０３】
ステップＳ１０５において、ＣＰＵ２０は、所定の自動露出演算（ＡＥ）および自動焦点調節処理（ＡＦ）を行ってステップＳ１０６へ進む。ステップＳ１０６において、ＣＰＵ２０は通信制御回路２２へ指示を送り、他方の電子カメラ１へレリーズ信号を送信させてステップＳ１０７へ進む。ＣＰＵ２０は、レリーズ信号とともに、露出演算結果を含む撮影条件（たとえば、シャッター速度、絞り値、感度、焦点距離、ホワイトバランス調整値、画質調整情報など）を示すデータを他方の電子カメラ１へ送信させる。
【０１０４】
画質調整情報は、どの画質調整アルゴリズムを適用するかを示す情報である。画質調整アルゴリズムとして、たとえば、「スタンダード」、「ニュートラル」、「ビビッド」、「モノクローム」をあらかじめ用意しておき、画像処理（ステップＳ１０８）において適用するアルゴリズムを示す。
【０１０５】
「スタンダード」は、標準的な画像に仕上げる画質調整アルゴリズムである。「ニュートラル」は、素材の自然な色あいを重視して仕上げる画質調整アルゴリズムである。「ビビッド」は、鮮やかな画像に仕上げる画質調整アルゴリズムである。具体的には、彩度を高めて赤色と緑色を鮮やかに加工するとともに、コントラストを高めてシャープな画像を得る。「モノクローム」は、白黒画像に仕上げる画質調整アルゴリズムである。
【０１０６】
ステップＳ１０７において、ＣＰＵ２０は、撮像処理を行わせてステップＳ１０８へ進む。ステップＳ１０８において、ＣＰＵ２０は画像処理回路１４に指示を送り、取得した画像データに対して所定の画像処理を行わせてステップＳ１０９へ進む。ステップＳ１０９において、ＣＰＵ２０は、画像処理後の画像データを含む画像ファイルを生成してステップＳ１１０へ進む。ステップＳ１１０において、ＣＰＵ２０はメモリカードインターフェース２１へ指示を送り、画像ファイルを記憶媒体５１に記録させて図１７による処理を終了する。
【０１０７】
上述したステップＳ１０１を肯定判定した場合は、他方の電子カメラ１からのレリーズ信号に応じて撮影処理を行う。ステップＳ１１１において、ＣＰＵ２０は、所定の自動露出演算（ＡＥ）および自動焦点調節処理（ＡＦ）を行ってステップＳ１１２へ進む。この場合の自動露出演算（ＡＥ）では、レリーズボタン２３ａが押下操作された方の電子カメラ１から送信されている撮影条件を示すデータに基づいて、「親機」のシャッター速度を「子機」のシャッター速度より速くするように露光条件を異ならせる。たとえば、「親機」のシャッター速度が１／１０００秒で、「子機」のシャッター速度が１／２５０秒とする。このため、ＣＰＵ２０は適正露出が得られるように絞り値または感度を変える。
【０１０８】
ステップＳ１１２において、ＣＰＵ２０は、撮像処理を行わせてステップＳ１１３へ進む。ステップＳ１１３において、ＣＰＵ２０は画像処理回路１４に指示を送り、取得した画像データに対して所定の画像処理を行わせてステップＳ１１４へ進む。レリーズボタン２３ａが押下操作された方の電子カメラ１から送信されている撮影条件を示すデータに基づいて、共通の画質調整アルゴリズムやホワイトバランス調整値を用いたり、異なる画質調整アルゴリズムやホワイトバランス調整値を用いたりすることができる。共通のアルゴリズムや調整値を使うか、あるいは異なるアルゴリズムや調整値を使うかは、あらかじめ、図３に例示した「操作メニュー」における設定項目に含めて行うことができる。
【０１０９】
ステップＳ１１４において、ＣＰＵ２０は、画像処理後の画像データを含む画像ファイルを生成してステップＳ１１５へ進む。ステップＳ１１５において、ＣＰＵ２０はメモリカードインターフェース２１へ指示を送り、画像ファイルを記憶媒体５１に記録させて図１７による処理を終了する。
【０１１０】
−連携撮影２−
ペアリング成立中において、「親機」側の電子カメラ１および「子機」側の電子カメラ１の一方が撮影中のときは、他方の電子カメラ１が待機し、撮影中の電子カメラ１の撮影が終了したら、待機中の電子カメラ１の撮影が可能になるように制御する。連携撮影２を行う設定は、図３に例示した「操作メニュー」における設定項目に含めて行うことができる。
【０１１１】
図１８は、ペアリング成立中のＣＰＵ２０が連携撮影２を行う場合に繰り返し実行する処理の流れを例示するフローチャートである。「親機」側の電子カメラ１と「子機」側の電子カメラ１の双方のＣＰＵ２０がそれぞれ実行する。図１８のステップＳ２０１において、ＣＰＵ２０は、ペアリングの相手の電子カメラ１から送信される撮像中信号を受信したか否かを判定する。撮像中信号は、「親機」および「子機」のうちレリーズボタン２３ａ（図２）の押下操作に応じて撮像中の電子カメラ１が他方の電子カメラ１へ撮像中であることを知らせる信号である。
【０１１２】
ＣＰＵ２０は、撮像中信号を受信した場合にステップＳ２０１を肯定判定してステップＳ２１１へ進む。ステップＳ２１１およびステップＳ２１２の処理は、ペアリング成立中に「親機」および「子機」のうち待機する方の電子カメラ１のＣＰＵ２０が行う処理に相当する。
【０１１３】
ＣＰＵ２０は、撮像中信号を受信しない場合にはステップＳ２０１を否定判定してステップＳ２０２へ進む。レリーズボタン２３ａが「親機」および「子機」のいずれかで操作されるまでは、双方の電子カメラ１のＣＰＵ２０がそれぞれステップＳ２０１〜ステップＳ２０２の処理を繰り返す。
【０１１４】
ステップＳ２０２において、ＣＰＵ２０は、レリーズボタン２３ａ（図２）が押下操作されたか否かを判定する。ＣＰＵ２０は、レリーズボタン２３ａの押下を示す操作信号が操作部材２３から入力された場合にステップＳ２０２を肯定判定してステップＳ２０３へ進み、レリーズボタン２３ａの押下を示す操作信号が操作部材２３から入力されない場合には、ステップＳ２０２を否定判定してステップＳ２０１へ戻る。ステップＳ２０１へ戻る場合は上述した処理を繰り返す。
【０１１５】
ステップＳ２０３〜ステップＳ２１０の処理は、ペアリング成立中に「親機」および「子機」のうちレリーズボタン２３ａが押下操作された電子カメラ１のＣＰＵ２０が行う処理である。
【０１１６】
ステップＳ２０３において、ＣＰＵ２０は通信制御回路２２へ指示を送り、他方の電子カメラ１へ撮像中を示す信号を送信させてステップＳ２０４へ進む。ステップＳ２０４において、ＣＰＵ２０は、所定の自動露出演算（ＡＥ）および自動焦点調節処理（ＡＦ）を行ってステップＳ２０５へ進む。
【０１１７】
ステップＳ２０５において、ＣＰＵ２０は、撮像処理を行わせてステップＳ２０６へ進む。ステップＳ２０６において、ＣＰＵ２０は、レリーズボタン２３ａ（図２）が押下操作されているか否かを判定する。ＣＰＵ２０は、レリーズボタン２３ａの押下を示す操作信号が操作部材２３から継続して入力されている場合にステップＳ２０６を肯定判定してステップＳ２０４へ戻り、上述した処理を繰り返す（連写撮影）。
【０１１８】
ＣＰＵ２０は、レリーズボタン２３ａの押下を示す操作信号が操作部材２３から入力されていない場合には、ステップＳ２０６を否定判定してステップＳ２０７へ進む。ステップＳ２０７において、ＣＰＵ２０は通信制御回路２２へ指示を送り、他方の電子カメラ１へ撮像終了を示す信号を送信させてステップＳ２０８へ進む。
【０１１９】
ステップＳ２０８において、ＣＰＵ２０は画像処理回路１４に指示を送り、取得した画像データに対して順番に所定の画像処理を行わせてステップＳ２０９へ進む。ステップＳ２０９において、ＣＰＵ２０は、画像処理後の画像データを含む画像ファイルを生成してステップＳ２１０へ進む。ステップＳ２１０において、ＣＰＵ２０はメモリカードインターフェース２１へ指示を送り、画像ファイルを記憶媒体５１に記録させて図１８による処理を終了する。
【０１２０】
上述したステップＳ２０１を肯定判定した場合は、他方の電子カメラ１からの撮像終了を示す信号を受信するまで撮影処理を行わない。ステップＳ２１１において、ＣＰＵ２０は、ペアリングの相手の電子カメラ１から送信される撮像終了を示す信号を受信したか否かを判定する。ＣＰＵ２０は、撮像終了信号を受信した場合にステップＳ２１１を肯定判定してステップＳ２１２へ進む。ＣＰＵ２０は、撮像終了信号を受信しない場合にはステップＳ２１１を否定判定し、当該判定処理を繰り返しながら撮像終了信号を待つ。ＣＰＵ２０は、撮像終了信号を待っている間は、たとえば「待機中です」というメッセージをＬＣＤモニタ１７に表示させる。
【０１２１】
ステップＳ２１２において、ＣＰＵ２０は、レリーズボタン２３ａ（図２）が押下操作されたか否かを判定する。ＣＰＵ２０は、レリーズボタン２３ａの押下を示す操作信号が操作部材２３から入力された場合にステップＳ２１２を肯定判定してステップＳ２０３へ進み、レリーズボタン２３ａの押下を示す操作信号が操作部材２３から入力されない場合には、ステップＳ２１２を否定判定してステップＳ２０１へ戻る。ステップＳ２０１へ戻る場合は上述した処理を繰り返す。
【０１２２】
−通常撮影−
ペアリング成立中において、「親機」側の電子カメラ１および「子機」側の電子カメラ１は、それぞれが単独で撮影可能に制御する。通常撮影を行う設定は、図３に例示した「操作メニュー」における設定項目に含めて行うことができる。
【０１２３】
図１９は、ペアリング成立中のＣＰＵ２０が通常撮影を行う場合に繰り返し実行する処理の流れを例示するフローチャートである。「親機」側の電子カメラ１と「子機」側の電子カメラ１の双方のＣＰＵ２０が、それぞれ実行する。
【０１２４】
図１９のステップＳ３０１において、ＣＰＵ２０は、レリーズボタン２３ａ（図２）が押下操作されたか否かを判定する。ＣＰＵ２０は、レリーズボタン２３ａの押下を示す操作信号が操作部材２３から入力された場合にステップＳ３０１を肯定判定してステップＳ３０２へ進み、レリーズボタン２３ａの押下を示す操作信号が操作部材２３から入力されない場合には、ステップＳ３０１を否定判定して当該処理を繰り返す。
【０１２５】
ステップＳ３０２において、ＣＰＵ２０は、所定の自動露出演算（ＡＥ）および自動焦点調節処理（ＡＦ）を行ってステップＳ３０３へ進む。ステップＳ３０３において、ＣＰＵ２０は、撮像処理を行わせてステップＳ３０４へ進む。ステップＳ３０４において、ＣＰＵ２０は画像処理回路１４に指示を送り、取得した画像データに対して所定の画像処理を行わせてステップＳ３０５へ進む。ステップＳ３０５において、ＣＰＵ２０は、画像処理後の画像データを含む画像ファイルを生成してステップＳ３０６へ進む。ステップＳ３０６において、ＣＰＵ２０はメモリカードインターフェース２１へ指示を送り、画像ファイルを記憶媒体５１に記録させて図１９による処理を終了する。
【０１２６】
６．パスワードの共有
ペアリング成立中に「親機」および「子機」間でパスワードを共有してもよい。たとえば、ペアリング成立中に「親機」および「子機」のいずれか一方でパスワードを設定した場合、そのパスワード情報を他方の電子カメラ１へ送信し、「親機」および「子機」間でパスワードを共有する。パスワードの設定は、たとえば、メニュー画面において行う。
【０１２７】
共有パスワードを設定した以降は、ペアリング成立中に「親機」および「子機」のいずれか一方で当該共有パスワードを入力して行った設定変更内容を、他方の電子カメラ１へ送信して該他方の電子カメラ１に反映させる。たとえば、上述した通常撮影を行うか、連携撮影を行うかの設定を「親機」側で行った場合、自動的に「子機」側にも適用させる。
【０１２８】
共有パスワードを入力して行う設定変更項目には、上述したランクアップまたはランクダウン操作を含めてもよい。この場合には、操作部材２３が操作された側の電子カメラ１からペアリング成立相手側の電子カメラ１へ上述したようなランク変更要求を示す信号を送ることなく、ランクアップまたはランクダウン後のランクを示す情報をペアリング成立相手側の電子カメラ１へ送る。
【０１２９】
ペアリング成立相手側から変更後のランクを示す情報を受信したＣＰＵ２０は、受信情報に基づいてランクアップまたはランクダウンを行い、「ランク変更を行いました。」というメッセージをＬＣＤモニタ１７に表示させる。
【０１３０】
以上説明したようにパスワードを共有することで、「親機」および「子機」でそれぞれ同じ設定を行うことなく、一方から設定変更できるようになるので使い勝手を向上させることができる。
【０１３１】
以上説明した実施形態によれば、次の作用効果が得られる。
（１）電子カメラ１は、外部の電子カメラと通信を行う通信制御回路２２と、外部の電子カメラの容量と自己の容量との少なくとも一方に基づいて、通信制御回路２２を介して外部の電子カメラに指示を行うＣＰＵ２０とを備えたので、屋内外にかかわらず、適切にペア動作させることができる。
【０１３２】
（２）外部の電子カメラの容量は、電池５２の残容量と、記憶媒体５１の空き容量との少なくとも一つを含み、ＣＰＵ２０は、電池５２の残容量と、記憶媒体５１の空き容量との少なくとも一方に基づいて外部の電子カメラに指示を行う。たとえば、ペア動作を終了する指示を行うことにより、ペア動作中に外部の電子カメラが撮影したものの、該外部の電子カメラが撮影画像を記憶媒体５１へ記録できない事態や、ペア動作中に外部の電子カメラの電池５２が消耗して該外部の電子カメラが動作不能に陥る事態を避けることができる。
【０１３３】
（３）自己の電子カメラ１の容量は、電池５２の残容量と、記憶媒体５１の空き容量との少なくとも一つを含み、ＣＰＵ２０は、電池５２の残容量と、記憶媒体５１の空き容量との少なくとも一方に基づいて外部の電子カメラ１に指示を行う。たとえば、ペア動作を終了する指示を行うことにより、ペア動作中に自己が撮影したものの、撮影画像を自己の記憶媒体５１へ記録できない事態や、ペア動作中に自己の電池５２が消耗して自己の電子カメラ１が動作不能に陥る事態を避けることができる。
【０１３４】
（４）外部の電子カメラから送付されたデータを自己の記憶媒体５１に記憶するので、ペア動作中に外部の電子カメラから送付されたものの、送付データを自己の記憶媒体５１へ記録できない事態を避けることもできる。
【０１３５】
（５）外部の電子カメラから送付されたデータを表示するＬＣＤモニタ１７を備えるので、ペア動作中に外部の電子カメラから送付されたものの、送付データを自己のＬＣＤモニタ１７へ表示できない事態を避けることもできる。
【０１３６】
（６）上記（５）の送付されたデータは画像データであり、外部の電子カメラから画像データを受け取る際の通信制御回路２２による受信レベルに応じて、ＬＣＤモニタ１７に表示する画像にフィルタ処理を行うようにした。ＬＣＤモニタ１７に再生表示される再生画像のフィルタ処理状態が受信レベルに応じて変化するので、観察者は、受信状態を直感的につかむことができる。
【０１３７】
（７）上記（６）のＣＰＵ２０は、受信レベルが低くなるにつれてぼかし量が大きくなるフィルタ処理を行うようにするので、観察者は、像ぼかしの大小によって受信状態を直感的につかむことができる。
【０１３８】
（８）通信制御回路２２は、外部の電子カメラの容量について通信を行う通信制御回路２２ａと、該通信制御回路２２ａとは異なり、外部の電子カメラから送付されるデータを通信する通信制御回路２２ｂ〜２２ｅとを備えるので、通信経路によらず適切にペア動作させることができる。
【０１３９】
（９）外部の電子カメラと近距離通信または人体を介した通信により外部の電子カメラとのペアリングを行う通信制御回路２２（非接触）と、通信制御回路２２（非接触）とは異なる通信制御回路２２ｂ〜２２ｅ（直接接触）と、通信制御回路２２（非接触）により外部の電子カメラとのペアリングがなされた場合に、通信制御回路２２ｂ〜２２ｅ（直接接触）により外部の電子カメラに指示を行うＣＰＵ２０とを備えた。通信確立後、両電子カメラ間の直接接触を条件にペアリングを成立させる指示が送られるので、ペアリング成立のタイミングがわかりやすい。
【０１４０】
（１０）外部の電子カメラとのペアリングがなされてからの時間を計時するＣＰＵ２０を備えたので、ペア動作時間の管理が可能になる。
【０１４１】
（１１）ＣＰＵ２０は、計時した時間が所定時間を越えた際に、ペアリングを解消するようにしたので、使用者が解消操作を忘れた場合でも、自動的にペア動作を終了できる。
【０１４２】
（１２）姿勢センサの出力に基づいて、外部の電子カメラとのペア動作における親子関係を決定するようにしたので、使用者が親子関係を指示することなく、自動的に決定させることができる。
【０１４３】
以下、本発明に係るその他の実施形態を変形例として説明する。本発明は、上述の実施形態および下記の変形例に限定されるものではなく、上述の実施形態と以下の変形例とを組合せて構成されてもよいし、また、上述した実施形態の一部に代えて以下の変形例を採用して構成されてもよい。
（変形例１）
上述した図６の処理において、ステップＳ１３（図６）を肯定判定した場合に、返信してきた（ステップＳ１２）電子カメラ１の識別情報がフラッシュメモリ１９内に保存されているか否かを調べるように構成してもよい。上述したように、ＣＰＵ２０は、ペアリング終了する際にペアリング成立相手を示す識別情報（たとえば、電子カメラ１のＩＤ）ごとに、ペアリング成立回数およびペアリング累積時間をフラッシュメモリ１９内に保存している。そこで、この保存情報を参照することにより、返信してきた電子カメラ１の識別情報が保存されている場合には、ペアリング実績のある相手と判定してステップＳ１６へ進み、ペアリングを成立させる。
【０１４４】
一方、返信してきた電子カメラ１の識別情報がフラッシュメモリ１９内に保存されていない場合は、当該返信元の電子カメラ１に対して、返信元の電子カメラ１内に保存されているペアリング成立相手を示す識別情報を要求する。要求を受けた返信元の電子カメラ１が上記識別情報を含めて返信すると、この返信を受け取ったＣＰＵ２０は、フラッシュメモリ１９に保存されている識別情報と、返信に含まれる識別情報とを照合し、共通のペアリング相手が含まれているか否かを調べる。
【０１４５】
照合の結果、共通するペアリング相手が存在した場合のＣＰＵ２０は、「友人の友人」である相手として判定し、「共通のペア相手がいます。新規ペアリングを行いますか？」というメッセージをＬＣＤモニタ１７に表示させる。ＣＰＵ２０は、「ＯＫ」操作を示す操作信号が操作部材２３から入力された場合にペアリングを開始するべくステップＳ１６へ進む。
【０１４６】
上記メッセージをＬＣＤモニタ１７に表示させたものの「ＯＫ」操作を示す操作信号が操作部材２３から入力されない場合、および上記照合の結果、共通するペアリング相手が存在しなかった場合のＣＰＵ２０は、ペアリングを開始することなくステップＳ１１へ戻る。以上説明した変形例１によれば、共通する友人を有する相手が所有する電子カメラ１との間のペアリングを促すことができる。
【０１４７】
（変形例２）
ペアリング成立中において、通信状態（通信距離）に応じて上述したペアリング時のランクをリアルタイムに変化させてもよい。「親機」側のＣＰＵ２０は、受信信号レベルが通信距離に応じて変化することから、通信制御回路２２における受信信号レベルに応じてランクを変化させる。メインＣＰＵ２０は、ペアリング成立中であってランク３およびランク２の場合、それぞれ受信信号レベルが判定閾値より低下した場合にランクダウンさせる。この場合、変更内容をペアリング成立相手の識別情報に関連づけてフラッシュメモリ１９に保存するとともに、変更後のランクに応じて閲覧制限やコピー制限を行う。ランク情報は、「親機」から「子機」へ送信し、「親機」が管理する。
【０１４８】
ペアリング時のランクをリアルタイムに変化させることで、ペアリング成立中に「親機」および「子機」間で行う画像閲覧時のローパスフィルタ処理がリアルタイムに変化する。このため、変形例２によれば、ペアリング成立相手側の電子カメラ１のファイルフォルダに含まれる撮影画像を自己の電子カメラ１に再生表示させて閲覧する場合に、自己の電子カメラ１のＬＣＤモニタ１７に再生表示される再生画像のぼけ具合が通信状態（通信距離）に応じて変化するので、ペアリング成立相手との距離を直感的につかむことができる。
【０１４９】
（変形例３）
ペアリング成立中において、ペアリングの相手に閲覧許可（公開）する画像（自己側であらかじめ共有設定をしたファイルフォルダ内の画像）と、相手から閲覧許可された画像（相手側であらかじめ共有設定されたファイルフォルダ内の画像）との類似度に応じてペアリング時のランクを変化させてもよい。類似度の高低は、公知のパターンマッチング手法を用いて判定する。「親機」側のＣＰＵ２０は、類似度が高いほどランクを上げ、類似度が低いほどランクを下げる。変更内容をペアリング成立相手の識別情報に関連づけてフラッシュメモリ１９に保存するとともに、変更後のランクに応じて閲覧制限やコピー制限を行う点、ランク情報を「親機」から「子機」へ送信し、「親機」が管理する点は、上述した場合と同様である。
【０１５０】
一般に、同じサークル等で活動する仲間同士や、行動を共にする友人は、同じような被写体を撮影する可能性が高い。撮影画像の類似度合いに応じてランクを分けるようにすることで、撮影に関して嗜好が近いペアリング相手を自動的にグルーピングできる。
【０１５１】
（変形例４）
ペアリング成立中において、ペアリングの相手に閲覧許可（公開）する画像（自己側であらかじめ共有設定をしたファイルフォルダ内の画像）と、相手から閲覧許可された画像（相手側であらかじめ共有設定をしたファイルフォルダ内の画像）とで、撮影位置（ＧＰＳ情報）を比較してペアリング時のランクを変化させてもよい。「親機」側のＣＰＵ２０は、撮影位置が近いほどランクを上げ、撮影位置が遠いほどランクを下げる。変更内容をペアリング成立相手の識別情報に関連づけてフラッシュメモリ１９に保存するとともに、変更後のランクに応じて閲覧制限やコピー制限を行う点、ランク情報を「親機」から「子機」へ送信し、「親機」が管理する点は、上述した場合と同様である。
【０１５２】
一般に、同じサークル等で活動する仲間同士や、行動を共にする友人は、同じような場所で撮影する可能性が高い。撮影位置が合致する度合いに応じてランクを分けるようにすることで、撮影に関して嗜好が近いペアリング相手を自動的にグルーピングできる。
【０１５３】
（変形例５）
ペアリング成立中において、ペアリングの相手に閲覧許可（公開）する画像（自己側であらかじめ共有設定をしたファイルフォルダ内の画像）と、相手から閲覧許可された画像（相手側であらかじめ共有設定をしたファイルフォルダ内の画像）とで、撮影条件を比較してペアリング時のランクを変化させてもよい。「親機」側のＣＰＵ２０は、撮影条件が合致するほどランクを上げ、撮影条件が異なるほどランクを下げる。変更内容をペアリング成立相手の識別情報に関連づけてフラッシュメモリ１９に保存するとともに、変更後のランクに応じて閲覧制限やコピー制限を行う点、ランク情報を「親機」から「子機」へ送信し、「親機」が管理する点は、上述した場合と同様である。
【０１５４】
一般に、同様の撮影条件で撮影する人は撮影に関して嗜好が近い可能性が高い。撮影条件が合致する度合いに応じてランクを分けるようにすることで、撮影に関して嗜好が近いペアリング相手を自動的にグルーピングできる。
【０１５５】
（変形例６）
ペアリング成立条件によってランクを変化させてもよい。「親機」側のＣＰＵ２０は、上述した「握手」によってペアリングを成立させた場合に、通常のランク（すなわち、フラッシュメモリ１９に記録している管理情報であって、ペアリング成立回数およびペアリング累積時間に応じて決定されるランク）に比べて１段階ランクアップする。人体通信によってペアリング成立する場合は親密度が高いことが想定されるので、自動的にランクアップさせて使い勝手をよくする。このようにランクアップする場合も、変更内容をペアリング成立相手の識別情報に関連づけてフラッシュメモリ１９に保存するとともに、変更後のランクに応じて閲覧制限やコピー制限を行う点、ランク情報を「親機」から「子機」へ送信し、「親機」が管理する点は、上述した場合と同様である。変形例６によれば、親密度が高いペアリング相手を自動的にグルーピングできる。
【０１５６】
（変形例７）
ペアリング成立条件が「顔識別」である場合に、「顔識別」に用いたスルー画像から得られる笑顔度合いに応じてペアリング時のランクを変化させてもよい。「親機」側のＣＰＵ２０は、「顔識別」に用いたスルー画像から得られる笑顔度合いが所定値より高い場合に、通常のランク（すなわち、フラッシュメモリ１９に記録している管理情報であって、ペアリング成立回数およびペアリング累積時間に応じて決定されるランク）に比べて１段階ランクアップする。笑顔度合いが高い場合は親密度が高いことが想定されるので、自動的にランクアップさせて使い勝手をよくする。
【０１５７】
本実施形態では、笑顔度合いの判定を笑顔検出時に行う。ＣＰＵ２０は、スルー画像データのうち特定した人物の顔の領域に対応するデータに基づいて笑顔であるか否かを判定する。笑顔判定処理は、公知の技術であるため説明を省略する。ＣＰＵ２０はさらに、笑顔を判定した場合には当該笑顔についての笑顔レベルを判定する。笑顔レベルは、たとえば、２（大笑い）と、１（中笑い）と、０（微笑み）との３段階に分ける。ＣＰＵ２０は、笑顔レベルが２の場合に通常ランクより１段階ランクアップする。
【０１５８】
（変形例８）
上述した連携撮影１において、「親機」の焦点距離を「子機」の焦点距離より長くするように撮影条件を異ならせてもよい。たとえば、「親機」の焦点距離が８５mm相当の場合、「子機」の焦点距離を３５mm相当とする。「親機」側の電子カメラ１および「子機」側の電子カメラ１による撮影画像がお互い似てしまうことが避けられる。そして、「ワイド」で撮影した方（本例では３５mm相当）の電子カメラ１で用いるホワイトバランス調整値を、他方の電子カメラ１で用いるホワイトバランス調整値として用いるようにする。
【０１５９】
一般に、「ワイド」で撮影した方が「ズーム」で撮影した場合より撮影画面内の色情報が多いので、より適切なホワイトバランス調整値が得られる。このホワイトバランス調整値を「親機」および「子機」の双方で共通に用いることで、異なる調整値を用いる場合に比べて、両電子カメラ１で撮影された色合いを揃えることができる。このような制御は、同一被写体を略同一時刻で連携撮影するときに好適である。
【０１６０】
また、「親機」と「子機」との間で異なる焦点距離に制御する場合は「親機」と「子機」との間で同じシャッター速度に揃えてもよい。撮像条件のこのような設定は、動いている同一被写体を略同一時刻で連携撮影するときに好適な設定である。例えば、被写体が止まっている画像または被写体が流れている画像のいずれかを同時に取得することができる。また、「親機」と「子機」との間で同じ焦点距離に制御する場合に「親機」と「子機」との間で異なる絞り値に制御してもよい。このような設定は、同一被写体を略同一時刻で連結撮影したときに好適な設定であり、例えば、ボケ感の異なる画像を同時に取得することができる。そのため、ユーザは撮影後に好みの画像を選択することができる。「親機」と「子機」との間で同じ焦点距離に制御する場合に「親機」と「子機」との間で異なるシャッター速度に設定してもよい。このような設定は、動いている同一被写体を略同一時刻で連携撮影するときに好適な設定である。例えば、被写体が止まっている画像と、被写体が流れている画像とを同時に取得することができる。上記は一例であり、撮影条件として「親機」と「子機」との間で任意に種々の組み合わせを行うようにしてもよい。撮影条件の例としては、上記のように、撮影光学系の変倍比、シャッター速度、絞り値、感度および色調整処理情報などが挙げられる。
【０１６１】
（変形例９）
上述した連携撮影２の説明では、レリーズボタン２３ａの押下操作が継続される間、連写撮影する例を説明した。この代わりに、レリーズボタン２３ａが押下操作されてから所定時間（たとえば１０秒間）が経過するまで連写撮影してもよい。この場合のＣＰＵ２０は、ステップ２０６（図１８）において、ステップＳ２０２（またはＳ２１２）を肯定判定してからの経過時間が上記所定時間に達した場合に肯定判定させる。
【０１６２】
（変形例１０）
あるいは、レリーズボタン２３ａが押下操作されてからの連写撮影枚数が所定コマ（たとえば３０コマ）に達するまで連写撮影してもよい。この場合のＣＰＵ２０は、ステップ２０６において、ステップＳ２０２（またはＳ２１２）を肯定判定してからの連写コマ数が上記所定コマに達した場合に肯定判定させる。
【０１６３】
（変形例１１）
上述した連写撮影画像を静止画像として記録する代わりに、動画ファイルを生成して記録する構成にしても構わない。また、一方の電子カメラ１が静止画像として記録し、他方の電子カメラ１が動画像として記録するようにしてもよい。
【０１６４】
（変形例１２）
一方の電子カメラ１で撮影中に、他方の電子カメラ１を撮影待機させるようにしたが、当該撮影待機中に録音させるように構成してもよい。この場合のＣＰＵ２０は、ステップＳ２０１を肯定判定したらマイク２６に録音のための集音を開始させ、ステップＳ２１１を肯定判定するまで集音を継続させる。
【０１６５】
ＣＰＵ２０は音声処理回路２５へ指示を送り、マイク２６で集音された音声信号を逐次増幅、およびデジタル音声データに変換させる。ＣＰＵ２０は、音声ファイル内のヘッダ領域（タグ領域）に、ペアリング成立中に録音した音声であることを示す情報を含める。そして、メモリカードインターフェース２１へ指示を送り、音声ファイルを記憶媒体５１に記録させる。ペアリング成立中に録音した音声であることを示す情報は、ペアリングの相手の識別情報、録音および時刻合わせ後の計時に基づく録音時刻情報を含む。
【０１６６】
なお、ペアリング成立中に録音した音声であることを示す情報は、音声ファイルのヘッダ領域に記録する代わりに、音声ファイルに関連付けた別ファイルとして記録しても構わない。
【０１６７】
（変形例１３）
上述した説明では、「カメラタッチ」の場合の「親機」と「子機」とを上下判定に基づいて決定するようにしたが、「親機」と「子機」とを左右判定に基づいて決定するようにしてもよい。この場合のＣＰＵ２０は、ステップＳ２５（図６）において、たとえば左側判定処理を行う。左側判定とは、電子カメラ１相互が接触した場合にどちらの電子カメラ１が左側に位置するかを判定するものであり、本変形例では電子カメラ１を背面側から見た場合に左手方向に位置するものを「左」側とする。
【０１６８】
ＣＰＵ２０は、姿勢センサ２４からの検出信号に基づく重力方向、および通信制御回路２２からの信号に基づく接触電極情報に基づいて、図２０に例示する判定テーブルを参照して左側判定を行う。たとえば、電子カメラ１を縦位置（右側面を下方）に保持して、レリーズボタン２３ａを有する面にて他の電子カメラ１の左側面（正位置）をカメラタッチした場合を例に説明する。電子カメラ１のＣＰＵ２０は、重力方向が送受信電極２２ｄ側であって、接触電極が該送受信電極２２ｂであることから、「左」判定をする。変形例１３では、「左」判定した方をペアリングにおける「親機」とし、「右」判定した方をペアリングにおける「子機」とする。一方、上記電子カメラ１にカメラタッチされた他の電子カメラ１のＣＰＵは、重力方向が送受信電極２２ｃ側（正位置）であって、接触電極が左側面（該送受信電極２２ｅ）であることから、「右」判定をする。
【０１６９】
「左」判定をした場合のＣＰＵ２０は、ステップＳ２５を肯定判定してステップＳ１６へ進む。「左」判定をしなかったＣＰＵ２０は、ステップＳ２５を否定判定してステップＳ２０へ進む。
【０１７０】
（変形例１４）
ペアリングにおける時刻合わせについて（図６のステップＳ２７およびＳ２８）、「親機」の時刻に「子機」の時刻を合わせる例を説明した。この代わりに、「親機」および「子機」の時刻のうち早い方に合わせたり、受信した標準電波に基づいて時刻補正する機能を備える方に合わせたりしてもよい。
【０１７１】
（変形例１５）
上述した説明において、ＣＰＵ２０は、記憶媒体５１の空き容量が所定の空き容量より少ない場合、他の電子カメラ１側の記憶媒体５１の空き容量が所定の空き容量より少ない旨の情報を通信によって取得した場合、電池５２の残容量が所定の残容量より少ない場合、他の電子カメラ１側の電池５２の残容量が所定の残容量より少ない旨の情報を通信によって取得した場合の少なくとも１つに該当する場合は、ペアリングを自動終了するようにした。これに加えて、ＣＰＵ２０は、ステップＳ１１（図６）の処理を開始する前の時点で記憶媒体５１の空き容量が所定の空き容量より少ない場合や、電池５２の残容量が所定の残容量より少ない場合には、図６による処理を直ちに終了するとよい。
【０１７２】
さらに、通信要求を受けた（ステップＳ１７）ＣＰＵ２０は、返信（ステップＳ１８）する前の時点で記憶媒体５１の空き容量が所定の空き容量より少ない場合や、電池５２の残容量が所定の残容量より少ない場合には、返信することなく図６による処理を終了するとよい。変形例１５によれば、ペアリング成立中に記憶媒体５１へ記録できなくなったり、ペアリング成立中に電池５２が消耗して動作不能に陥ったりすることを避けることができる。
【０１７３】
（変形例１６）
上記実施形態では、ペアリングを成立させる外部機器をあらかじめ登録しておく一例として、外部機器を使用する人物の「顔」を登録する例を説明した。この代わりに、外部機器の名称等を登録するようにしてもよい。この場合は、「ペアリング人物設定」画面（図５）の代わりに「外部機器設定」画面をＬＣＤモニタ１７に表示させる。「外部機器設定」画面には、「顔」のサムネイル画像に代わる外部機器リストを表示させる。外部機器リストは、たとえば、各外部機器の名称や型番、ＩＤなどを含む。
【０１７４】
ＣＰＵ２０は、図５と同様のチェックマークで示される外部機器をペアリング相手とすべき外部機器として設定する。そして、通信要求（ステップＳ１１（図６））に応じて返信された情報に含まれるＩＤが、「外部機器設定」画面を用いて設定された外部機器のＩＤと一致することを条件として、ペアリングを成立させる。
【０１７５】
なお、この変形例では、通信要求（ステップＳ１１）に応じて返信された情報に含まれるＩＤが「外部機器設定」画面を用いて設定された外部機器のＩＤと一致するか否かの判定を行う一例を説明したが、このステップは必要に応じて変形してもよい。例えば、通信制御回路２２には常に電源が供給されるような回路構成にしておくことにより、「外部機器設定」で設定された外部機器から返信を検出できない場合に、ＣＰＵ２０は、当該外部機器が起動されていない、もしくは電源がオフであると判定し、通信制御回路２２を介して当該外部機器を起動させる、もしくは電源をオンさせる信号を送信するようにしてもよい。そして、起動後の当該外部機器から返信された情報に基づき、当該外部機器が作動可能な状態にあるかを判定したうえで、作動可能な場合には、ペアリングを成立させる。外部機器が作動可能な状態にあるか否かの判定は、外部機器の筐体等に設けられた接触センサにより、ユーザによる筐体への接触が検知されたか否かや、ユーザによる外部機器への操作が検知されたか否かの情報を外部機器から受信して行う。なお、外部機器に設けられた送受信用電極２２ｂ〜２２ｅを接触センサとして利用してもよい。 
また、この通信要求（ステップＳ１１）の変形例は、外部機器を使用する人物の「顔」を登録する例を説明した上記実施形態についても適用可能である。具体的には、ＣＰＵ２０は、ユーザが登録撮影されている顔をＬＣＤモニタ１７で認識し、例えばＯＫスイッチ２３ｈを押下したときに、通信制御回路２２を介して相手の電子カメラの電源をオンするようにすればよい。また、ＣＰＵ２０は、図５で示したように、ペアリング人物設定画面においてチェックボックスをチェックした人物が所有している電子カメラ１を通信制御回路２２を介して起動させるようにしてもよい。この場合、チェックボックスをチェックした人物が近くにいるかどうかは不明な場合もあるので、通信距離を１０〜１００ｍ以内に設定して通信するようにすればよい。 
なお、電子カメラ１に被写界を認識するファインダーが備えられている場合には、ＬＣＤモニタ１７で顔識別するのに代えて、このファインダーにより顔識別するようにしてもよい。 
ペアリング要求により相手の電子カメラ１の電源を起動させるには、上述の顔識別に限定されるものではなく、人体通信やカメラタッチの際にも適用することができる。この場合、単なる握手やペアリング要求ではないカメラタッチと識別するために、ＯＫスイッチ２３ｈを利用するようにしてもよいし、握手の時間が所定時間、例えば、３秒以上続いたり、カメラタッチが所定時間、例えば、３秒以上続いたりした場合に通信制御回路２２を介して相手の電子カメラ１の電源をオンにするようにしてもよい。なお、この場合、電子カメラ１の電源がオンの状態であっても、オフの状態であっても構わない。電子カメラ１および他の電子カメラ１が、主電源がオフの状態であっても通信制御回路２２に電源が供給されるよう構成されておれば、電子カメラ１は、通信制御回路２２により人体通信またはカメラタッチが検知された場合には、主電源をオンにして電子カメラ１を構成する各部を起動させることができる。
【０１７６】
（変形例１７）
また、上記実施形態では、ＣＰＵ２０が他の電子カメラ１との間の通信確立後、「顔識別」したことを条件にペアリングを成立させる例を説明した。この代わりに、ペアリングモード設定時において、通信確立前に「顔識別」をしてから、他の電子カメラ１との間で通信を開始するように構成してもよい。この場合は、上記実施形態のように、外部機器と通信を開始する前に、複数のペアリング成立条件の中からいずれか１のペアリング成立条件が予め設定されていてもよいし、いずれのペアリング成立条件も設定されておらずともよい。上述したように、ＣＰＵ２０は「顔識別」に用いるスルー画像をＬＣＤモニタ１７にリアルタイムに再生表示させるとともに、「顔識別」した場合には当該「顔」を示す枠などの表示をスルー画像に重ねて表示させる。ＣＰＵ２０は、この状態で自動的に通信を開始し、ペアリングを成立させてもよいし、「顔識別」した状態であって、かつＯＫスイッチ２３ｈが押下操作された場合に通信を開始し、ペアリングを成立させてもよい。
【０１７７】
また、ＣＰＵ２０は、複数の「顔」を識別した場合には、それぞれの「顔」を示す枠を表示させるとともに、１番大きい顔（表示画面に占める割合が最大）に対応する枠を選択し、他の枠と異なる態様（輝度もしくは色が異なる）で表示させる。選択枠は、十字スイッチ２３ｇが操作された場合に、該操作方向に位置する「顔」を囲む枠と切り替える。ＣＰＵ２０は、ＯＫスイッチ２３ｈが押下操作された時点で選択している枠に対応する「顔」に関連づけられているＩＤと一致する外部機器との間で通信を開始し、ペアリングを成立させる。
【０１７８】
（変形例１８）
また、上記実施形態では、外部機器と通信を開始する前に、複数のペアリング成立条件の中からいずれか１のペアリング成立条件を予め設定する一例を説明したが、通信の開始前に必ずペアリング成立条件を設定する構成でなくともよい。例えば、モードスイッチ２３ｄの操作によりペアリングモードに設定されている場合には、ＣＰＵ２０は、「顔識別」、「握手」および「カメラタッチ」の少なくとも１つの判別処理を行うように構成されてもよい。ＣＰＵ２０は、通信制御回路２２を介して「握手」または「カメラタッチ」を検出した場合には、他の電子カメラ１との間で自動的に通信を開始し、ペアリングを成立させるようにする。
また、ペアリング成立条件が、例えば「通常」に設定されていたとしても、ＣＰＵ２０が「握手」または「カメラタッチ」を検出した場合には、他の電子カメラ１との間で自動的に通信を開始し、ペアリングを成立させるようにしてもよい。
なお、これらの場合、自動的に通信を開始する代わりに、ＣＰＵ２０が「握手」および「カメラタッチ」を検出したならば、ＣＰＵ２０は、ＬＣＤモニタ１７にペアリングを成立させてもよいか否かを問い合わせる旨の表示をし、ＯＫスイッチ２３ｈが押下操作された場合に通信を開始するようにしてもよい。本変形例においては、好適には、ＣＰＵ２０は、無線通信回路により検出された受信信号の強度が最も高いと判定された外部機器との間で無線通信を確立し、ペアリングを成立させる。
【０１７９】
（変形例１９）
上記実施形態では、ペアリングモードの終了に関して、ペアリングオフタイマーの設定にしたがって終了する一例を説明した。この代わりに、「握手」している時間に応じてペアリングモードの滞在時間を設定してもよい。上述したように、通信制御回路２２は、ＣＰＵ２０からの指示に応じて人体を介して通信を行う人体通信機能を備える。ＣＰＵ２０は、通信制御回路２２を介して「握手」している時間を計測し、計測時間に応じてペアリングモードの滞在時間を設定する。また、この場合、ＣＰＵ２０は、ペアリングの終了をペアリングモード解除操作、および「握手」時間により決定されたペアリングモード滞在時間の経過時のいずれか早い方にペアリングを終了させるようにしてもよい。 
また、ペアリングモードの滞在時間は、「カメラタッチ」している時間に応じて設定されてもよい。上述したように、ＣＰＵ２０は、電子カメラ１の筐体に設けられた送受信用電極２２ｂ〜２２ｅおよび通信制御回路２２を介して両電子カメラ１が直接接触したか否かを検出する。ＣＰＵ２０は、通信制御回路２２を通して両電子カメラ１間の直接接触時間を計測し、計測時間に応じてペアリングモードの滞在時間を設定する。また、この場合、ＣＰＵ２０は、ペアリングの終了をペアリングモード解除操作、および「カメラタッチ」時間により決定されたペアリングモード滞在時間の経過時のいずれか早い方にペアリングを終了させるようにしてもよい。 
また、ペアリングモードの滞在時間は、「カメラタッチ」している時間に応じて設定されてもよい。
【０１８０】
（変形例２０）
無線通信は電波を送受信して行う他、赤外光を送受信して行うものでもよい。また、電子カメラ１を例に説明したが、電子カメラ１は機種の異なるカメラでもよく、また、カメラ付き携帯電話機、ビデオカメラ、ミュージックプレイヤ、などの電子機器に適用してよい。
【０１８１】
（変形例２１）
以上の説明では、「親機」１台に対して「子機」が１台の例を説明したが、「親機」１台と複数の「子機」とがペアリングを成立させてもよい。
【０１８２】
以上の説明はあくまで一例であり、上記の実施形態の構成に何ら限定されるものではなく、実施形態の構成と、１または複数の変形例とを適宜組み合わせて構わない。
【符号の説明】
【０１８３】
１…電子カメラ
１１…撮影光学系
１２…撮像素子
１４…画像処理回路
１７…ＬＣＤモニタ
１９…フラッシュメモリ
２０…ＣＰＵ
２１…メモリカードI/F
２２…通信制御回路
２２ｂ〜２２ｅ…送受信用電極
２３…操作部材
２４…姿勢センサ
２５…音声処理回路
２９…電源回路
５１…記憶媒体
５２…電池
【図１】
2020036366.tif 000003
【図２】
2020036366.tif 000004
【図３】
2020036366.tif 000005
【図４】
2020036366.tif 000006
【図５】
2020036366.tif 000007
【図６】
2020036366.tif 000008
【図７】
2020036366.tif 000009
【図８】
2020036366.tif 000010
【図９】
2020036366.tif 000011
【図１０】
2020036366.tif 000012
【図１１】
2020036366.tif 000013
【図１２】
2020036366.tif 000014
【図１３】
2020036366.tif 000015
【図１４】
2020036366.tif 000016
【図１５】
2020036366.tif 000017
【図１６】
2020036366.tif 000018
【図１７】
2020036366.tif 000019
【図１８】
2020036366.tif 000020
【図１９】
2020036366.tif 000021
【図２０】
2020036366.tif 000022